【手続補正書】
【提出日】平成16年4月21日(2004.4.21)
【手続補正１】
【補正対象書類名】特許請求の範囲
【補正対象項目名】全文
【補正方法】変更
【補正の内容】
【特許請求の範囲】
【請求項１】
少なくとも1つのクライアント装置とサーバとを備える移動メッセージング・システムであって、
前記クライアント装置が、プレゼンス情報をプレゼンス属性として前記サーバに送信する手段と、プレゼンス属性を前記サーバから受信する手段とを備え、前記プレゼンス情報が、属性名称によって識別される複数のプレゼンス属性種類によって分類され、
前記サーバが、前記受信したプレゼンス属性に基づいてプレゼンス情報を維持する手段を備える移動メッセージング・システムにおいて、
前記クライアント装置が、修飾子をプレゼンス属性に追加する手段であって、前記修飾子が前記の属性の使用を指定する1つかそれ以上のパラメータを含む手段を備え、
前記クライアント装置が、前記の受信した属性中の前記修飾子パラメータに応じて前記受信したプレゼンス属性を処理する手段を備えることを特徴とする移動メッセージング・システム。
【請求項２】
前記クライアント装置が、前記修飾子中で前記属性の表示設定を指定する手段を備え、
前記クライアント装置が、前記修飾子に基づいて前記受信した属性を提示する手段を備えることを特徴とする、請求項1に記載のシステム。
【請求項３】
前記クライアント装置が、前記修飾子中で前記属性のアドレス指定先となるアプリケーションを指定する手段を備え、
前記クライアント装置が、前記受信した属性を前記修飾子によって指示されるアプリケーションにアドレス指定する手段を備えることを特徴とする、請求項1に記載のシステム。
【請求項４】
前記サーバが、前記修飾子に基づいて前記属性を1つかそれ以上のクライアント装置に送信すべきかどうかを決定する手段を備えることを特徴とする、請求項1〜3の何れか一項に記載のシステム。
【請求項５】
少なくとも1つのクライアント装置とサーバとを備える移動メッセージング・システムであって、
前記クライアント装置が、プレゼンス情報をプレゼンス属性として前記サーバに送信する手段と、プレゼンス属性を前記サーバから受信する手段とを備え、前記プレゼンス情報が、属性名称によって識別される複数のプレゼンス属性種類によって分類され、
前記サーバが、受信したプレゼンス属性に基づいてプレゼンス情報を維持する手段を備える移動メッセージング・システムにおいて、
前記クライアント装置が、オーソライザと、属性名称と、修飾子との組合せによって識別されるプレゼンス情報属性を構成する手段であって、前記オーソライザが前記属性を維持する責任を負う主体を指定し前記修飾子が前記属性の使用を指定する手段を備え、
前記サーバが、受信した属性と同じ識別子を含むすでに格納された属性を探索する手段と、前記受信した属性の識別子の組合せが前記すでに格納された属性のものと同一であれば前記すでに格納された属性を前記受信した属性によって置換し、そうでなければ前記受信した属性を追加する手段を備え、
前記クライアント装置が、受信した属性と同じ識別子を含むすでに格納された属性を探索する手段と、前記受信した属性の識別子の組合せが前記すでに格納された属性のものと同一であれば前記すでに格納された属性を前記受信した属性によって置換し、そうでなければ前記受信した属性を追加する手段を備えることを特徴とする移動メッセージング・システム。
【請求項６】
前記クライアント装置から前記サーバによって受信した前記プレゼンス属性が、プレゼンス・グループに関連する発行者ユーザに応じてデータベース中に格納されることを特徴とする、請求項1〜5の何れか一項に記載の移動メッセージング・システム。
【請求項７】
各プレゼンス属性が、属性名称要素及び属性値を含む項目の一部であることを特徴とする、請求項1〜6の何れか一項に記載の移動メッセージング・システム。
【請求項８】
前記属性名称要素が、前記属性名称要素及び属性値を一意に保持する責任を負う権限を示す権限文字列を含むことを特徴とする、請求項7に記載の移動メッセージング・システム。
【請求項９】
プレゼンス集合が、単一のプレゼンス・グループに関連する発行者ユーザの単一の発行者役割に属する1つかそれ以上の属性を備えることを特徴とする、請求項1〜8の何れか一項に記載の移動メッセージング・システム。
【請求項１０】
前記クライアント装置のユーザが発行者として前記クライアント装置または1つより多い発行者役割で1つより多いクライアント装置を使用できることを特徴とする、請求項9に記載の移動メッセージング・システム。
【請求項１１】
移動メッセージング・システムのための移動クライアント装置であって、
属性名称によって識別される複数のプレゼンス属性種類によって分類されるプレゼンス情報をプレゼンス属性としてサーバに送信する手段を備える移動クライアント装置において、
前記属性の使用を指定する1つかそれ以上のパラメータを備える修飾子をプレゼンス属性に追加する手段をさらに備えることを特徴とする移動クライアント装置。
【請求項１２】
移動メッセージング・システムのための移動クライアント装置であって、プレゼンス属性をサーバから受信する手段を備え、該プレゼンス属性が属性名称によって識別される複数のプレゼンス属性種類によって分類される移動クライアント装置において、
修飾子をプレゼンス属性に追加する手段であって、前記修飾子が前記属性の使用を指定する1つかそれ以上のパラメータを備える手段と、
前記受信した属性中の前記の修飾子パラメータに応じて前記の受信したプレゼンス属性を処理する手段とをさらに備えることを特徴とする移動クライアント装置。
【請求項１３】
移動メッセージング・システムのための移動クライアント装置であって、プレゼンス情報をプレゼンス属性としてサーバに送信する手段と、
プレゼンス属性を前記サーバから受信する手段であって、前記プレゼンス情報が属性名称によって識別される複数のプレゼンス属性種類によって分類される手段とを備える移動クライアント装置において、
オーソライザと、属性名称と、修飾子との組合せによって識別されるプレゼンス情報属性を構成する手段であって、前記オーソライザが前記属性を維持する責任を負う主体を指定し前記修飾子が前記属性の使用を指定する手段と、
受信した属性と同じ識別子を含むすでに格納された属性を探索する手段と、
前記受信した属性の識別子の組合せがすでに格納された属性のものと同一であれば前記すでに格納された属性を前記受信した属性によって置換し、そうでなければ前記受信した属性を追加する手段とをさらに備えることを特徴とする移動クライアント装置。
【請求項１４】
各プレゼンス属性が属性名称要素及び属性値を含む項目の一部であることを特徴とする、請求項11〜13の何れか一項に記載の移動クライアント装置。
【請求項１５】
前記属性名称要素が、前記属性名称要素及び属性値を一意に保持する責任を負う権限を示す権限文字列を含むことを特徴とする、請求項14に記載の移動クライアント装置。
【請求項１６】
プレゼンス集合が、単一のプレゼンス・グループに関連する発行者ユーザの単一の発行者役割に属する1つかそれ以上のプレゼンス属性を備えることを特徴とする、請求項11〜15の何れか一項に記載の移動クライアント装置。
【請求項１７】
前記移動クライアント装置のユーザが発行者として前記クライアント装置または1つより多い発行者役割で1つより多いクライアント装置を使用できることを特徴とする、請求項16に記載の移動クライアント装置。
【請求項１８】
移動メッセージング・システムのためのサーバであって、前記サーバが、受信したプレゼンス属性に基づいてプレゼンス情報を維持する手段を備え、前記プレゼンス情報が属性名称によって識別される複数のプレゼンス属性種類によって分類されるサーバにおいて、
受信した属性と同じ識別子を含むすでに格納された属性を探索する手段と、
前記受信した属性の識別子の組合せが前記すでに格納された属性のものと同一であれば前記すでに格納された属性を前記受信した属性によって置換し、そうでなければ前記受信した属性を追加する手段とを備えることを特徴とするサーバ。
【請求項１９】
クライアント装置から前記サーバによって受信した前記プレゼンス属性が、プレゼンス・グループに関連する発行者ユーザに応じてデータベース中に格納されることを特徴とする、請求項18に記載のサーバ。
【請求項２０】
各プレゼンス属性が、属性名称要素及び属性値を含む項目の一部であることを特徴とする、請求項18または19に記載のサーバ。
【請求項２１】
前記属性名称要素が、該属性名称要素及び属性値を一意に保持する責任を負う権限を示す権限文字列を含むことを特徴とする、請求項20に記載のサーバ。
【請求項２２】
プレゼンス集合が、単一のプレゼンス・グループに関連する発行者ユーザの単一の発行者役割に属する1つかそれ以上の属性を備えることを特徴とする、請求項18〜21の何れか一項に記載のサーバ。
【請求項２３】
前記サーバと通信し発行者の役目を果たすクライアント装置のユーザが、該クライアント装置または1つより多い発行者役割で1つより多いクライアント装置を使用できることを特徴とする、請求項22に記載のサーバ。
【請求項２４】
プレゼンス・システムであって、
プレゼンス・ユーザが発行者または加入者として前記のシステムと対話できるようにする少なくとも1つのプレゼンス・クライアントを有する少なくとも1つの物理装置と、
関連するプレゼンス・グループに応じて加入者によってアクセスするため発行者の属性のプレゼンス集合の有効な値を維持するサーバとを備えるプレゼンス・システム。
【請求項２５】
各属性が、属性名称要素及び属性値を含む項目の一部であることを特徴とする、請求項24に記載のプレゼンス・システム。
【請求項２６】
前記属性名称要素が、属性の使用法に関連する情報を有する修飾子を含むことを特徴とする、請求項25に記載のプレゼンス・システム。
【請求項２７】
前記属性名称要素が、該属性名称要素及び属性値を一意に保持する責任を負う権限を示す権限文字列を含むことを特徴とする、請求項26に記載のプレゼンス・システム。
【請求項２８】
プレゼンス集合が、単一のプレゼンス・グループに関連する単一の発行者役割に属する1つかそれ以上の属性を備えることを特徴とする、請求項24〜27の何れか一項に記載のプレゼンス・システム。
【請求項２９】
前記システムと対話する前記ユーザが発行者として前記プレゼンス・クライアントまたは1つより多い発行者役割で1つより多いプレゼンス・クライアントを使用できることを特徴とする、請求項28に記載のプレゼンス・システム。
【請求項３０】
各属性が、属性名称要素及び属性値を含む項目の一部であることを特徴とする、請求項28に記載のプレゼンス・システム。
【請求項３１】
前記少なくとも1つの物理装置が移動物理装置であることを特徴とする、請求項24〜30の何れか一項に記載のプレゼンス・システム。
【請求項３２】
物理装置中に格納するためコンピュータ可読媒体中に組み込まれたコンピュータ・プログラムにおいて、
前記のプログラムが、関連する少なくとも1つのプレゼンス・グループに応じて1つかそれ以上の加入者によってアクセスするための属性の少なくとも1つのプレゼンス集合の発行者としてプレゼンス・ユーザがプレゼンス・システムと対話できるようにするプレゼンス・クライアント・プログラムであることを特徴とするコンピュータ・プログラム。
【請求項３３】
前記プログラムが、加入者がメンバであるプレゼンス・グループに関連する属性の少なくとも1つの集合への前記加入者としてプレゼンス・ユーザが前記プレゼンス・システムと対話できるようにすることを特徴とする、請求項32に記載のコンピュータ・プログラム。
【請求項３４】
各属性が、属性名称要素及び属性値を含む項目の一部であることを特徴とする、請求項32または33に記載のコンピュータ・プログラム。
【請求項３５】
前記属性名称要素が、属性の使用法に関連する情報を有する修飾子を含むことを特徴とする、請求項34に記載のコンピュータ・プログラム。
【請求項３６】
前記属性名称要素が、該属性名称要素及び属性値を一意に保持する責任を負う権限を示す権限文字列を含むことを特徴とする、請求項35に記載のコンピュータ・プログラム。
【請求項３７】
プレゼンス集合が、単一のプレゼンス・グループに関連する単一の発行者役割に属する1つかそれ以上の属性を備えることを特徴とする、請求項32〜36の何れか一項に記載のコンピュータ・プログラム。
【請求項３８】
前記のシステムと対話する前記のユーザが発行者として前記プレゼンス・クライアント・プログラムまたは1つより多い発行者役割で1つより多いプレゼンス・クライアント・プログラムを使用できることを特徴とする、請求項37に記載のコンピュータ・プログラム。
【請求項３９】
各属性が、属性名称要素及び属性値を含む項目の一部であることを特徴とする、請求項37に記載のコンピュータ・プログラム。
【請求項４０】
前記物理装置が移動物理装置であることを特徴とする、請求項32〜39の何れか一項に記載のコンピュータ・プログラム。
【請求項４１】
内部に格納されたコンピュータ可読媒体中に組み込まれたコンピュータ・プログラムを有する物理装置において、前記のプログラムが、請求項32〜40の何れか一項に記載のコンピュータ・プログラムであることを特徴とする物理装置。
【請求項４２】
物理装置に格納されるためにコンピュータ可読媒体中に組み込まれたデータ構造において、
該データ構造が、プレゼンス集合に関連するプレゼンス・グループに応じて加入者によってアクセスするため1つかそれ以上の発行者の属性の前記プレゼンス集合の有効な値を格納するプレゼンス・データベースであることを特徴とするデータ構造。
【請求項４３】
各属性が、属性名称要素及び属性値を含む項目の一部であることを特徴とする、請求項42に記載のデータ構造。
【請求項４４】
前記属性名称要素が、属性の使用法に関連する情報を有する修飾子を含むことを特徴とする、請求項43に記載のデータ構造。
【請求項４５】
前記属性名称要素が、該属性名称要素及び属性値を一意に保持する責任を負う権限を示す権限文字列を含むことを特徴とする、請求項44に記載のデータ構造。
【請求項４６】
プレゼンス集合が、単一のプレゼンス・グループに関連する単一の発行者役割に属する1つかそれ以上の属性を備えることを特徴とする、請求項42〜45の何れか一項に記載のデータ構造。
【請求項４７】
前記物理装置と対話するユーザが発行者として、1つより多い発行者役割を発行するために前記データ構造を使用でき、各役割が別個のプレゼンス・グループに関連する別個のプレゼンス集合を有することを特徴とする、請求項42〜46の何れか一項に記載のデータ構造。
【請求項４８】
前記物理装置が移動装置であることを特徴とする、請求項42〜47の何れか一項に記載のデータ構造。
【請求項４９】
内部に格納されたコンピュータ可読媒体中に組み込まれたデータ構造を有する物理装置において、前記データ構造が、請求項42〜48の何れか一項に記載のプレゼンス・データ構造であることを特徴とする物理装置。
【手続補正２】
【補正対象書類名】明細書
【補正対象項目名】００７３
【補正方法】変更
【補正の内容】
【００７３】
【表７】
2004532478.tif 000001
【手続補正３】
【補正対象書類名】明細書
【補正対象項目名】０１１５
【補正方法】変更
【補正の内容】
【０１１５】
概念上、プレゼンス・システムは、図6に示されるように、プレゼンス・クライアント602、604、606と、プレゼンス・ユーザ608、610、612と、プレゼンス・ユーザ役割614、616、618、620、622、624と、プレゼンス・プロキシ626と、プレゼンス・サーバ628、630からなる。プレゼンス・クライアントはユーザがプレゼンス・システムと対話できるようにするソフトウェアまたはプログラムである。ユーザはプレゼンス・クライアントを使用してプレゼンス・システムと対話する人物である。例えば移動送受話器またはPCのような物理装置632、634は、1つのプレゼンス・クライアント606を有してもよいが、特殊な場合には、多数のプレゼンス・クライアント602、604を有してもよい。プレゼンス・クライアントは単一のユーザによって所有される。ユーザは1つより多いクライアントを有してもよいが、こうしたクライアントは通常異なった装置に置かれる。
【手続補正４】
【補正対象書類名】明細書
【補正対象項目名】０１３７
【補正方法】変更
【補正の内容】
【０１３７】
A.2.0         加入済のプレゼンス(図9)
プレゼンス情報を配信するもう1つの機構は誰かのプレゼンス情報に加入することである。メッセージの流れを図9に提示する。
要求を出すユーザはプレゼンス加入メッセージA.2.1をプレゼンス・サーバに送信し、誰かのプレゼンス情報に加入する。
プレゼンス情報の加入が完了すると、要求を出したユーザは、最初に、また他の当事者がプレゼンス情報を更新した時は常に新しいプレゼンス情報A.2.2を受信する。
要求を出したユーザが、それ以上プレゼンス情報を受信したくない場合、プレゼンス情報の加入の取消しを行えばよい(A.2.4)。代りに、プレゼンス情報はある期間だけ加入してもよく、その場合加入取消しメッセージは必要ない。
要求を出したユーザは、プレゼンス情報のうち、自分が獲得する許可を得ている部分だけに加入できる。
【手続補正５】
【補正対象書類名】明細書
【補正対象項目名】０１３９
【補正方法】変更
【補正の内容】
【０１３９】
A.2.2         SubsPeriod
内容モデル:(#PCDATA)
属性:なし
使用法:これは加入期間の長さを規定する。時間単位はTBD（未定）である。代りに、この内容は加入が終了する日付を示してもよい。
【手続補正６】
【補正対象書類名】明細書
【補正対象項目名】０１４４
【補正方法】変更
【補正の内容】
【０１４４】
A.3.1         CreatePresGroup
方向:プレゼンス・クライアント→プレゼンス・サーバ
内容モデル:(TransactionID,MemberList, Presence)
属性:なし
使用法:このプリミティブは、プレゼンス・サーバで役割を生成するようサーバに要求する。許可グループはMemberList中のメンバを含み、プレゼンス集合はPresence中に含まれる。
【手続補正７】
【補正対象書類名】明細書
【補正対象項目名】０１４９
【補正方法】変更
【補正の内容】
【０１４９】
A.3.6         PresGroupStatus
方向:プレゼンス・サーバ→プレゼンス・クライアント
内容モデル:(TransactionID,StatusCode,(GroupID,MemberList,PresenceNames)*)
属性:なし
使用法:このプリミティブは、現在存在する発行者役割のGroupIDをその役割に関するグループ・メンバ及びプレゼンス項目名と共に返送する。サーバは、その動作が成功した場合、新しい役割に関する新しいGroupIDを割当てている。サーバはMemberListのサーバ起源部分を満たしている。これによって発行者は、グループが正しいメンバを含んでいることを検証できる。サーバは、ユーザ起源部分中にすでに存在するレベル、または人物を一意に識別するために必要なレベルを越えてMemberList中にどのような機密または個人情報も提供すべきではない。これはTBD（未定）である。StatusCodeは、サポートしない、未知のメンバ、未知のプレゼンス項目、成功、失敗といった値を獲得しうる。
【手続補正８】
【補正対象書類名】明細書
【補正対象項目名】０１５７
【補正方法】変更
【補正の内容】
【０１５７】
A.3.14        動的クライアント変更
発行者または加入者は自分のクライアントをいつでも変更してよい。典型的にはクライアント装置も変更される。まれには、ユーザは同じ装置でクライアントのインスタンスだけを変更することもある。新しい装置がTE（端末装置）で古い装置がMT（移動端末）であってもよく、またその逆であってもよい。また新しいMTに変更することも可能である。クライアントの変更は、ユーザに自分のプレゼンス・データを古いクライアントから新しいクライアントにコピーまたは同期することを要求する。発行者の場合、所定のクライアントについて静的で同期集合中に含まれないあるクライアント特有のプレゼンス・データがあることもある。同期は局所的に行ってもよく、ネットワーク支援型であってもよい。何れの場合でも、既存の同期プロトコルを使用すればよい。これはプレゼンスプロトコルの範囲外である。
【手続補正９】
【補正対象書類名】明細書
【補正対象項目名】０２１２
【補正方法】変更
【補正の内容】
【０２１２】
D.8.5         ClientManufacturer
内容モデル:(#PCDATA)
属性:なし
使用法：この要素はプレゼンス・クライアント製造業者の名称を示す。